(57)【特許請求の範囲】
【請求項１】
外形断面がほぼ等しく長さが異なる複数の種類を有するワークに対し、ワークの長さ方向を回転軸として回転するとともに、ワークの長さ方向に沿って洗浄手段を往復移動することにより、ワークを洗浄する洗浄装置におけるワーク保持装置であって、最長のワークを収納可能な収容空間が形成された保持枠と、前記収納空間に最長のワークより短いワークを複数保持する場合に、ワークとワークとの間に間隙を設けるように収納空間をワークの長さ方向に仕切る仕切り部材とを備えたことを特徴とする洗浄装置におけるワーク保持装置。
【請求項２】
前記仕切り部材は、収納空間を仕切る位置と仕切らない位置とのどちらかに位置を変更可能に設けられた請求項１に記載の洗浄装置におけるワーク保持装置。
【請求項３】
前記保持枠に収納空間の一面を開放可能な開閉枠を設け、該開閉枠の内側には弾性部材が張設され、開閉枠を閉じたときに前記弾性部材によりワークを押付けるように構成した請求項１又は２に記載の洗浄装置におけるワーク保持装置。
【発明の詳細な説明】
【技術分野】
【０００１】
本発明は、洗浄装置におけるワーク保持装置に関し、特に外形断面がほぼ等しく長さが異なる複数の種類のワークを洗浄する場合に好適なワーク保持装置に関する。
【背景技術】
【０００２】
樹脂製収納ケース等のワークを間欠的に各ステーションに移動して所期の処理を行うように構成された移動台上にワーク回転支持台を設置し、そのワーク回転支持台上に設けた係止手段にワークの下部を係止して位置決めした上、ワーク回転支持台を回転させながら乾燥処理等の所期の処理を施すように構成した処理装置は従来から知られている（特許文献１）。しかしながら、この従来技術では、ワーク回転支持台上に設けた突堤状のガイド部材にワークの下部を係止させて位置決めした状態で回転させながら所期の処理を行うという技術手段が採用されていたため、ワークが高くなると安定的な保持が困難になるとともに、ワークの高さの変化には対応されていなかった。このため、例えば収納ケースのように収容物の形態や運搬時の利便性から長さを大きくしたワークを立てた状態で処理を実施しようとすると、処理時のワークの高さが高くなることから安定的な保持が困難になったり、長さの異なる複数の種類のワークが混在する場合には対応することが難しいといった問題があった。
【特許文献１】特開平６−１９４０３８号公報
【発明の開示】
【発明が解決しようとする課題】
【０００３】
本発明は、以上のような従来の技術的状況に鑑み、ワークの長さすなわち処理時における高さが高いワークに対しても安定的な保持が可能であるとともに、そのワークの長さに関する変化にも簡便に対応できる、使い勝手の良好な洗浄装置におけるワーク保持装置を提供することを目的とする。
【課題を解決するための手段】
【０００４】
本発明では、前記課題を解決するため、外形断面がほぼ等しく長さが異なる複数の種類を有するワークに対し、ワークの長さ方向を回転軸として回転するとともに、ワークの長さ方向に沿って洗浄手段を往復移動することにより、ワークを洗浄する洗浄装置におけるワーク保持装置として、最長のワークを収納可能な収容空間が形成された保持枠と、前記収納空間に最長のワークより短いワークを複数保持する場合に、ワークとワークとの間に間隙を設けるように収納空間をワークの長さ方向に仕切る仕切り部材とを備え、前記保持枠の収納空間に最長のワークより短いワークを複数保持する場合には、その収納空間を前記仕切り部材によってワークとワークとの間に間隙を設けるように仕切ることによりワークの長さの変化に対応するという技術手段を採用した。前記仕切り部材は、収納空間を仕切る位置と仕切らない位置とのどちらかに位置を変更可能に設けることができる。前記保持枠に収納空間の一面を開放可能な開閉枠を設け、該開閉枠の内側には弾性部材を張設して、開閉枠を閉じたときに前記弾性部材によりワークを押付けるように構成してもよい。
【発明の効果】
【０００５】
本発明によれば、ワークを保持枠に収納してワークの長さ方向を回転軸として回転するように構成したので、長いワークであっても安定的に保持した状態で回転することが可能である。しかも、収納空間を仕切り部材によってワークとワークとの間に間隙を設けるようにワークの長さ方向に仕切る構成を採用したので、外形断面がほぼ等しく長さが異なる複数の種類のワークに対して簡便に対応することができるとともに、長さ方向の端面を含めてワークに対する的確な洗浄が可能である。
【発明を実施するための最良の形態】
【０００６】
本発明は、外形断面がほぼ等しく長さが異なる複数の種類からなる通函等の収納ケースの洗浄処理に好適である。本発明において使用する洗浄装置は、保持枠の内部に収容されたワークに対して洗浄作用を付与できるものであれば、どのような形態のものでもよい。なお、本発明の洗浄は、洗浄処理に伴う水切り工程なども含む。前記保持枠の回転駆動形態に関しては、保持枠の下部と上部の双方において回転駆動するように構成したものでもよいし、その一方において回転駆動するように構成したものでもよい。因みに、保持枠の下部と上部の双方において回転駆動するようにすれば、保持枠の剛性を小さく設定しても強度的に耐えることが可能である。したがって、保持枠の軽量化を図ることが可能となり、水切り時などの高速回転に有効である。また、枠材を細く設定して枠によって生じる陰の部分を低減することも可能である。
【実施例】
【０００７】
図１は本発明の一実施例の要部を示した概略構成図であり、図２はそのＡ−Ａ概略断面図である。図中１は洗浄装置の全体を示したものである。その外壁２の内方中心部には、ベルト３を介して回転モータ４により駆動される回転軸５を配設している。回転軸５の周囲は、仕切り板６〜９により４つのセクションに分割し、各セクションにワークの収納空間を形成する保持枠１０を設置して、ワークの長さ方向を回転軸として回転し得るように構成している。本実施例では、各保持枠１０の上下にギヤ１１，１２を設けて回転軸５の上下に設置した駆動ギヤ１３，１４に歯合させることにより、保持枠１０に対して上下から回転力を付与するように構成している（なお、図１では一つの保持枠１０のみを例示した）。因みに、４つの各セクションに関しては、全てのセクションを洗浄処理用の空間として使用したものでもよいし、一部を洗浄用の空間として使用し、残りを水切り処理や乾燥処理用の空間として使用したものでもよい。また、保持枠１０に関しては、場合に応じて回転軸５を中心に旋回させることにより各セクション間を移動し得るように構成してもよい。
【０００８】
図３は洗浄手段を例示した要部説明図である。ここに示した洗浄手段は、前記仕切り板６〜９によって仕切られた回転軸５の周囲のセクションのうち、洗浄処理用として使用されるセクションの空いている適宜のスペースに配設されることになる。図中１５は洗浄ノズルで、スプロケット１６，１７間に張設されたチェーン等の無端状走行帯１８に支持され、例えば水平方向に扁平状の洗浄液を噴射しながら上下方向に移動し得るように構成されている。洗浄ノズル１５は支軸１９を中心に回動可能に構成され、図示のように上動して上方の切替え用ストッパ２０に当接するとスプリング２１により下方傾斜に切替えられ、その後下動して下方の切替え用ストッパ２２に当接すると上方傾斜に切替えられるという動作を繰返すことになる。なお、洗浄ノズル１５の上下移動範囲は、切替え用ストッパ２０，２２の位置調整により自由に設定することができる。
【０００９】
図４は前記保持枠１０を図１に示したＡ−Ａの位置で断面して示した部分拡大断面図であり、図５はその開閉枠を開いた状態を示したものである。図示のように、本実施例に係る保持枠１０は、上下方向に適宜の間隔をあけて複数設置された、後部ａと両側部ｂ、ｃから略コ字状に形成された板状横枠２３と、それらの各板状横枠２３の後部ａに固着された状態で保持枠１０の上部から下部まで通して設置された後部板状縦枠２４と、前記各板状横枠２３の両側部ｂ、ｃの前部にそれぞれ固着された状態で保持枠１０の上部から下部まで通して設置された前部板状縦枠２５，２６とから構成され、ワークとしてのケース２７を収納する空間を形成している（なお、前部板状縦枠２５，２６に関しては後述の図１０等も参照）。
【００１０】
前記板状横枠２３の一方の側部ａには支持部２８を設け、その支持部２８に対して開閉枠２９を図５のように支軸３０を中心に開閉可能に装着している。本実施例における開閉枠２９は、弓状の横線材３１と直線状の縦線材３２とから粗い格子状に形成され、図１に示したように保持枠１０を上下に分けて２つの開閉枠２９ａ，２９ｂを設置し、それぞれ支軸３０ａ，３０ｂにより個別的に開閉可能に支持している。また、前記板状横枠２３の他方の側部ｃには取付部３３を設けて、図６及び図７に示したように、その取付部３３に開閉枠２９を構成する前記横線材３１の先端部に設けた掛止部３４に形成した掛合孔３５に掛止可能な、大径の頭部と細径の軸部とからなるキノコ状の掛止軸３６を立設するとともに、その掛止軸３６の後方に掛合孔３５と掛止軸３６との掛合状態を保持するための押圧機構３７を設置している。
【００１１】
押圧機構３７は、図６に示したように前記板状横枠２３の側部ｃに設けた取付部３８に設置した軸受部３９に押圧軸４０を前後摺動可能に嵌装し、その押圧軸４０の前端部に押圧板４１を設けてスプリング４２により掛止部３４を前方へ押圧することにより、掛合孔３５と掛止軸３６との掛合状態を保持するように構成している。なお、掛合孔３５は、掛止軸３６の頭部が通過可能な大径部と通過できない幅が縮小された溝部から形成されている。その掛合孔３５を掛止軸３６に掛止するには、開閉枠２９を閉じる際に掛止部３４によって押圧板４１をスプリング４２に抗して後方に押動し、その状態において掛合孔３５の大径部を介して掛止軸３６の頭部を通過させ、しかる後スプリング４２の付勢力にまかせて前方へ戻せば、掛止軸３６の頭部が掛合孔３５の溝部側へ移動して掛止状態が簡便に得られる。そして、その掛止状態は、以後スプリング４２の付勢力によって保持されることになる。なお、図中４３は開閉枠２９を閉じたときに前記ケース２７に当接して内方へ押圧する帯状の弾性部材であり、この弾性部材４３の押圧作用によりケース２７と保持枠１０との間のガタが解消される。
【００１２】
さらに、略コ字状からなる前記板状横枠２３の両側部ｂ、ｃの前部に設けた前部板状縦枠２５，２６間には、図４及び図５に示したように仕切り部材４４を横架可能に設置している。この仕切り部材４４は、図１及び後述の図１０〜図１５に示したように上下方向に所定間隔を隔てて設置され、本実施例の場合には３個の仕切り部材４４ａ〜４４ｃを設置している。図５に示したように、仕切り部材４４の一方の端部は支軸４５により回動可能に支持され、他方の端部は掛止手段４６に対して掛脱可能に構成されている。図８はその掛止手段４６を示した斜視図であり、図９は仕切り部材４４の掛止手段４６に対する掛脱状態を示した操作説明図である。図示のように、掛止手段４６は、前部板状縦枠２６の所定位置に形成された挿通孔４７に挿通された掛止軸４８を備え、その掛止軸４８を裏面に設置したスプリング４９によって後方へ引込むように付勢することにより、掛止軸４８のツマミ部５０と前部板状縦枠２６との間に仕切り部材４４を挟持するように構成している。仕切り部材４４を掛止手段４６に掛止する場合には、図９の（イ）に示したように、ツマミ部５０を摘んで掛止軸４８をスプリング４９に抗して引出し、その状態で仕切り部材４４を支軸４５を中心に下動させて、仕切り部材４４の端部に形成された掛合部５１を掛止軸４８に掛止させた上、掛止軸４８をスプリング４９の付勢力にまかせて（ロ）に示したように後方へ戻すことにより掛止状態が簡便に得られる。また、仕切り部材４４の不使用時に掛止状態を外す場合には、ツマミ部５０を摘んで掛止軸４８をスプリング４９に抗して引出した状態で仕切り部材４４を支軸４５を中心に上動することにより簡便に外すことができる。なお、不使用時における仕切り部材４４を支軸４５によって吊下げられた状態におく場合には、上述のように仕切り部材４４を上動させて掛止軸４８から外した後、さらに仕切り部材４４の端部をツマミ部５０の前を通過させて下方へ移動させて、支軸４５により吊下げられた状態へ移行することになる。
【００１３】
次に、前記仕切り部材４４の使用の仕方に関して説明する。図１０〜図１５は種々の長さのケースを処理対象とする場合の仕切り部材４４の使用状態を示した使用状態説明図である。なお、ここでは、ケース２７の最小単位のユニットがケース２７ａの長さからなり、そのケース２７ａの端面同士を順次連結することにより、２倍の長さの２７ｂ、３倍の長さの２７ｃと、必要に応じて連結する個数を増減できる場合について説明する。図示のように、図１０に示した使用状態は、長さの最も短いケース２７ａだけを洗浄処理する場合を例示したものである。この場合には、全ての仕切り部材４４ａ〜４４ｃを使用することにより、４個のケース２７ａを互いに間隙を設けた状態で同時に洗浄処理を行うことができる。因みに、洗浄処理時には、ケース間に設けた間隙部を介してケースの端面部分に対する洗浄も的確に行うことができる。図１１に示した使用状態は、ケース２７ａを２個連結した長さが２倍のケース２７ｂと３個連結した長さが３倍のケース２７ｃを同時に洗浄処理する場合を例示したものである。この場合には、図示のように仕切り部材４４ｂのみを使用することにより対応が可能である。図１２に示した使用状態は、単体のケース２７ａと３倍のケース２７ｃを同時に洗浄処理する場合を例示したものである。この場合には、図示のように仕切り部材４４ｃのみを使用することにより対応が可能である。同様に、図１３に示したように、単体のケース２７ａと４個連結した長さが４倍のケース２７ｄを同時に洗浄処理する場合も、仕切り部材４４ｃのみを使用することにより対応が可能である。さらに、図１４及び図１５に示したように、全ての仕切り部材４４ａ〜４４ｃを使用しない状態では、ケース２７ａを５個連結したケース２７ｅや、６個連結したケース２７ｆを洗浄対象とする場合に対応できる。以上のように、仕切り部材４４ａ〜４４ｃの使用形態により、種々の長さのケース２７ａ〜２７ｆを処理対象とする場合に簡便に対応することができる。なお、図中５２は前部板状縦枠２５側に設けた掛止手段で、前記掛止手段４６と同様に仕切り部材４４ａ〜４４ｃに形成した掛合部５１と掛止可能に構成され、支軸４５により吊下げられた状態の仕切り部材４４ａ〜４４ｃの下端部を保持し得るように構成している。
【図面の簡単な説明】
【００１４】
【図１】本発明の一実施例の要部を示した概略構成図である。
【図２】図１のＡ−Ａ概略断面図である。
【図３】洗浄手段を例示した要部説明図である。
【図４】図１に示したＡ−Ａの位置で断面して示した部分拡大断面図である。
【図５】開閉枠を開いた状態を示した同部分拡大断面図である。
【図６】同開閉枠の掛止部分を示した部分拡大図である。
【図７】同掛止部分を示した部分拡大図である。
【図８】仕切り部材の掛止手段を示した斜視図である。
【図９】同仕切り部材の掛止手段に対する掛脱状態を示した操作説明図である。
【図１０】同仕切り部材の使用状態を示した使用状態説明図である。
【図１１】同仕切り部材の使用状態を示した使用状態説明図である。
【図１２】同仕切り部材の使用状態を示した使用状態説明図である。
【図１３】同仕切り部材の使用状態を示した使用状態説明図である。
【図１４】同仕切り部材の使用状態を示した使用状態説明図である。
【図１５】同仕切り部材の使用状態を示した使用状態説明図である。
【符号の説明】
【００１５】
１…洗浄装置、２…外壁、３…ベルト、４…回転モータ、５…回転軸、６〜９…仕切り板、１０…保持枠、１１，１２…ギヤ、１３，１４…駆動ギヤ、１５…洗浄ノズル、１６，１７…スプロケット、１８…無端状走行帯、１９…支軸、２０…切替え用ストッパ、２１…スプリング、２２…切替え用ストッパ、２３…板状横枠、２４…後部板状縦枠、２５，２６…前部板状縦枠、２７…ケース、２８…支持部、２９…開閉枠、３０…支軸、３１…横線材、３２…縦線材、３３…取付部、３４…掛止部、３５…掛合孔、３６…掛止軸、３７…押圧機構、３８…取付部、３９…軸受部、４０…押圧軸、４１…押圧板、４２…スプリング、４３…弾性部材、４４…仕切り部材、４５…支軸、４６…掛止手段、４７…挿通孔、４８…掛止軸、４９…スプリング、５０…ツマミ部、５１…掛合部、５２…掛止手段
【図１】
0004726619.tif 000002
【図２】
0004726619.tif 000003
【図３】
0004726619.tif 000004
【図４】
0004726619.tif 000005
【図５】
0004726619.tif 000006
【図６】
0004726619.tif 000007
【図７】
0004726619.tif 000008
【図８】
0004726619.tif 000009
【図９】
0004726619.tif 000010
【図１０】
0004726619.tif 000011
【図１１】
0004726619.tif 000012
【図１２】
0004726619.tif 000013
【図１３】
0004726619.tif 000014
【図１４】
0004726619.tif 000015
【図１５】
0004726619.tif 000016